(57)【要約】【課題】釣道具、釣餌をコンパクトに収容でき、持ち運び容易な釣用容器の提供。【解決手段】この釣用容器１０は、容器本体１１、蓋１３及び肩掛けベルト１５、１６を備える。容器本体１１は防水性樹脂からなる。容器本体１１は、上面１２に開口１７を有し、内部に収容室１８が区画されている。容器本体１１の上面１２は、斜めに傾斜している。蓋１３は防水性樹脂からなり、上記開口１７を液密的に開閉する。肩掛けベルト１５、１６は、容器本体１１の背面１４に設けられている。肩掛けベルト１５、１６は、弾性を有するメインベルト３７を有し、釣人の肩にソフトに当接する。容器本体１１の背面１４にクッションシート３５が融着されている。【選択図】図１
2015065960.tif 000002
【特許請求の範囲】
【請求項１】
釣人が背負うことのできる釣用容器であって、
開口が形成された上面及び釣人の背中に当接する背面を有し、当該上面に連通して内部に収容室が区画された防水性樹脂からなる容器本体と、
当該容器本体に設けられ、上記開口を液密的に開閉する蓋と、
上記容器本体に設けられ、釣人の両肩に掛け回される一対のベルトとを備えた釣用容器。
【請求項２】
上記容器本体の上面は、背面側から正面側に向かって漸次下り傾斜となっている請求項１に記載の釣用容器。
【請求項３】
上記容器本体の背面に発泡樹脂からなるクッションシートが設けられており、
当該クッションシートは、上記背面に熱融着により固定されている請求項１又は２に記載の釣用容器。
【請求項４】
上記容器本体の上面に形成された開口の周縁部は、エチレン酢酸ビニル共重合体（ＥＶＡ）からなるシールシートにより被覆されており、
上記蓋の内側周縁部は、上記シールシートと液密的に当接する粗度に仕上げられている請求項１から３のいずれかに記載の釣用容器。
【発明の詳細な説明】
【技術分野】
【０００１】
この発明は、主に釣りの際に使用され、釣り道具や釣餌等を収容する容器の構造に関するものである。
【背景技術】
【０００２】
従来から釣り道具や釣餌を収容することができ、釣人が持ち運ぶことができる容器が提供されている（たとえば、特許文献１及び特許文献２参照）。
【０００３】
従来の釣用容器は、餌用容器、シューズ用容器、タモ網用容器、杓用容器などのように専用品として設計されている場合が多い。すなわち、従来の釣用容器は、各用途に応じた形状、サイズにデザインされている。
【先行技術文献】
【特許文献】
【０００４】
【特許文献１】特開２０１３−１２３３８１号公報
【特許文献２】特開２００８−７２９７０号公報
【発明の概要】
【発明が解決しようとする課題】
【０００５】
ところで、たとえば地磯での釣りの場合、釣人は釣り道具や餌を携帯して長時間をかけて釣場まで徒歩にて移動する場合がある。その場合、釣人が複数の釣用容器を携行することになれば、歩行の安全確保が難しくなる。また、釣人が複数の釣用容器をまとめて他の大型の容器に収容するとしても、コンパクトな荷物となるようにまとめることができないことが多く、しかも携行する荷物の重量が増加するという問題があった。
【０００６】
本発明はかかる背景のもとになされたものであって、その目的は、さまざまな釣り道具のほか釣餌をまとめてコンパクトに収容でき、釣人が容易に携行することができる釣用容器を提供することである。
【課題を解決するための手段】
【０００７】
(1) 本発明に係る釣用容器は、釣人が背負うことのできる釣用容器であって、各種釣り道具、釣餌等が収容され得る。この釣用容器は、開口が形成された上面及び釣人の背中に当接する背面を有し、当該上面に連通して内部に収容室が区画された防水性樹脂からなる容器本体と、当該容器本体に設けられ、上記開口を液密的に開閉する蓋と、上記容器本体に設けられ、釣人の両肩に掛け回される一対のベルトとを備えている。
【０００８】
この発明によれば、釣人は、一対のベルトを肩に掛けることにより、釣用容器を背中に背負うことができる。このとき、釣用容器の背面が釣人の背中に当接するので、釣人は、釣行の際に、釣用容器に種々の釣り道具及び釣餌等を収容して容易に且つ安定的に持ち運ぶことができる。また、釣用容器が防水性樹脂、典型的にはエチレン酢酸ビニル共重合体（ＥＶＡ）からなり、しかも蓋は、容器本体の開口を液密的に閉じるので、雨や釣場で波飛沫がかかったとしても、収容された釣り道具が濡れてしまうことがない。
【０００９】
(2) 上記容器本体の上面は、背面側から正面側に向かって漸次下り傾斜となっているのが好ましい。
【００１０】
この構成では、正面側からの釣り道具等の出し入れが容易である。
【００１１】
(3) 上記容器本体の背面に発泡樹脂からなるクッションシートが設けられているのが好ましい。このクッションシートは、上記背面に熱融着により固定され得る。
【００１２】
この構成では、クッションシートが容器本体と釣人の背中との間に介在する。これにより、釣人は、楽に荷物を背負うことができる。
【００１３】
(4) 上記容器本体の上面に形成された開口の周縁部は、ＥＶＡからなるシールシートにより被覆されており、上記蓋の内側周縁部は、上記シールシートと液密的に当接する粗度に仕上げられているのが好ましい。
【００１４】
この構成では、蓋が閉じられたときに容器本体の開口は液密的に閉塞される。したがって、容器本体への水の侵入が確実に防止される。
【発明の効果】
【００１５】
この発明によれば、釣人は、釣用容器に釣り道具や釣餌等を収容して簡単に携行することができる。
【図面の簡単な説明】
【００１６】
【図１】図１は、本発明の一実施形態に係る釣用容器１０の斜視図である。
【図２】図２は、本発明の一実施形態に係る釣用容器１０の斜視図である。
【図３】図３は、本発明の一実施形態に係る釣用容器１０の蓋ロック機構２８を示す斜視図である。
【図４】図４は、本発明の一実施形態に係る釣用容器１０の斜視図である。
【発明を実施するための形態】
【００１７】
以下、本発明の好ましい実施形態が、適宜図面が参照されながら説明される。なお、本実施の形態は、本発明に係る釣用容器の一態様にすぎず、本発明の要旨を変更しない範囲で実施態様が変更されてもよいことは言うまでもない。
【００１８】
図１及び図２は、本発明の一実施形態に係る釣用容器１０の斜視図であり、図１は背面側から見た状態を、図２は正面側から見た状態を示している。
【００１９】
たとえば磯釣り（典型的には地磯での釣り）では、釣人は岩場を歩いて所望の釣場まで移動する。このとき、釣人は、釣り道具のほか釣餌をも携行するが、これらをコンパクトにまとめて持ち運びが可能となれば釣人にとって都合が良い。本実施形態に係る釣用容器１０は、釣場への釣り道具等の持ち運びが便利なものとなるように設計されている。
【００２０】
図１および図２が示すように、釣用容器１０は、容器本体１１と、容器本体１１の上面１２（図４参照）に設けられた蓋１３と、容器本体１１の背面１４（図１参照）に設けられた一対の肩掛けベルト１５、１６（特許請求の範囲に記載された「ベルト」に相当）とを備えている。
【００２１】
図３は、蓋１３のロック機構（後述される蓋ロック機構２８）を示す斜視図であり、図４は、蓋１３が開かれた状態を示す釣用容器１０の斜視図である。
【００２２】
図２及び図４が示すように、容器本体１１の外形形状は略直方体状である。容器本体１１の上面１２に開口１７（図４参照）が形成されている。この開口１７に連通して、容器本体１１の内部に収容室１８が区画されている。すなわち、容器本体１１は、底面部１９及び側壁部２０を有し、当該側壁部２０の下端が底面部１９の周縁に連続している。底面部１９に立設された側壁部２０の上端面が上記上面１２を構成している。そして、側壁部２０の上端によって上記開口１７が形成され、この開口１７に連続して側壁部２０に取り囲まれるようにして上記収容室１８が区画されている。容器本体１１は、防水性樹脂からなる。本実施形態では、容器本体１１は、エチレン酢酸ビニル共重合体（ＥＶＡ）からなる。
【００２３】
底面部１９は、シート状のＥＶＡが矩形状に成形されたものである。側壁部２０は、シート状のＥＶＡの両側縁が側面２１で互いに溶着されることにより筒状に成形されたものである。側壁部２０の下端は、底面部１９の周縁に溶着されており、これにより容器本体１１が構成されている。本実施形態では、容器本体１１は直方体状に形成されているが、側壁部１９にテーパが形成されていてもよい。たとえば、上面１２の面積よりも底面部１９の面積が小さくなるように側壁部２０が形成されていてもよい。すなわち、容器本体１１は、上面１２から底面部１９に向けて徐々に縮径されていてもよい。
【００２４】
図２が示すように、本実施形態では、底面部１９のサイズは、幅Ｗが２８ｃｍに設定され、奥行きＤが１８ｃｍに設定されている。もっとも底面部１９のサイズはこれに限定されるものではなく、幅Ｗは２５ｃｍ〜４５ｃｍ程度に設定され、奥行きＤは、１５ｃｍ〜３０ｃｍ程度に設定され得る。また、本実施形態では、側壁部２０の高さＨは、４７ｃｍに設定されているが、高さＨは、３５ｃｍ〜７０ｃｍ程度に設定され得る。これにより、磯釣りに必要な道具、餌等がコンパクトに収容され得る。
【００２５】
側壁部２０の上端部、すなわち、上記開口１２の周縁部に矩形に屈曲形成された芯材が配置されている。側壁部２０の上端部は、この芯材の内側から外側へ巻き掛けられ、当該側壁部２０の外周面に溶着されている。このように、側壁部２０の上端部が外側へ巻き掛けられることにより、上記開口１２の周縁部が樹脂シート４３（特許請求の範囲に記載された「シールシート」に相当）により被覆された状態となる。もっとも、この開口１２の周縁部に、別途、所要の樹脂からなるシールシート４３が重ね合わされていてもよい。上記側壁部２０を構成する樹脂シート４３の裏面や上記シールシート４３の表面は、滑面に仕上げられているのが好ましい。このように、上記開口１２の周縁部が樹脂シート４３により被覆されていることによる作用効果については後述される。
【００２６】
また、本実施形態では、側壁部２０の上端部は、図４が示すように斜めにカットされている。これにより、容器本体１１の上面１２は、背面１４側から正面２２側に向かって下方へ傾斜している。このように、上面１２が傾斜することにより、収容室１８への釣り道具の出し入れが容易になるという利点がある。さらに、本実施形態では、図１が示すように、容器本体１１の背面１４に手提げベルト２５が設けられている。これにより、釣人は、釣用容器１０を片手で持つことができる。
【００２７】
容器本体１１には、上面１２を開閉する蓋１３が設けられている。蓋１３は、トレイ状に形成されており、ＥＶＡから構成されている。蓋１３の所要の部位に隆起部２３が形成されている。これら隆起部２３が設けられることにより、蓋１３の剛性が向上している。蓋１３は、容器本体１１の背面１４に連結されている。具体的には、容器本体１１の背面１４の上縁２４と蓋１３の周縁部との間に連結シート２６が掛け渡されている。この連結シート２６は、ＴＰＵ（熱可塑性ポリウレタン樹脂）コーティングされたナイロンからなり、ヒンジを構成している。すなわち、蓋１３は容器本体１１に対してヒンジ結合されており、容器本体１１の開口１７を開放する開姿勢（図４参照）と、容器本体１１の開口１７を閉塞する閉姿勢（図１〜図３参照）との間で姿勢変化するようになっている。
【００２８】
蓋１３の内面２７は、滑面に形成されている。また、この内面２７の周縁の形状は、容器本体１１の上面１２の形状と略一致している。したがって、蓋１３が開口１７を閉じると、蓋１３は容器本体１１の上面１２に嵌め合わされ、蓋１３の内面２７と容器本体１１の上面１２とが確実に当接する。蓋１３の内面２７も容器本体１１の上面１２も共に滑面に仕上げられているから、蓋１３は、容器本体１の開口１７を液密的に閉じることができる。つまり、容器本体１１の外部からの水の侵入が防止される。
【００２９】
釣用容器１０の正面２２側に蓋ロック機構２８が備えられている。この蓋ロック機構２８は、容器本体１１の正面２２に設けられたベースシート２９及び蓋１３に設けられたＵ字ベルト３０と、蓋１３と容器本体１１の正面２２との間に掛け渡されたロックベルト３１とを備えている。
【００３０】
このロックベルト３１は二分割されており、両者間にバックル３２、３３が設けられている。このバックル３２、３３の構造は既知であり、それぞれ雄型及び雌型を備える。雄型は、弾性変形が可能な係合爪を有し、雌型は、当該係合爪と係合する凹部が形成されている。雄型と雌型が嵌め合わされることにより上記係合爪が凹部に係合し、ロックベルト３１が連結される。係合爪が弾性変形され、上記凹部から離脱されることにより、ロックベルト３１は、切り離される。つまり、蓋１３の開閉が自在となる。
【００３１】
ベースシート２９はＥＶＡからなり、容器本体１１の正面２２に熱融着されている。Ｕ字ベルト３０もＥＶＡからなり、蓋１３の縁部に設けられている。ベースシート２９とＵ字ベルト３０との間に面ファスナー３４が介在されている。これにより、Ｕ字ベルト３０がベースシート２９に着脱自在となっている。Ｕ字ベルト３０が設けられていることにより、Ｕ字ベルト３０がベースシート２９に接着した場合であっても、上記バックル３２、３３が露出し、バックル３２、３３の着脱作業が困難になることはない。
【００３２】
図１が示すように、容器本体１１の背面１４にクッションシート３５が設けられている。このクッションシートは３５は、発泡ポリエチレン（ＥＰＥ発泡材）から構成されており、容器本体１１の背面１４の略全体を覆っている。クッションシート３５は、上記背面１４に熱融着されており、融着部位によって複数のクッション部３６が区画されている。このクッションシート３５は、釣人が後述のように釣用容器１０を背負ったときに釣人の背中に当接する。したがって、釣人は、釣用容器１０を背負ったときにソフトな感触を得ることができる。
【００３３】
肩掛けベルト１５、１６は、図１が示すように、容器本体１１の背面１４側に左右対称に配置されている。肩掛けベルト１６は、メインベルト３７と、サブベルト３８とを備えている。メインベルト３７は、ポリ塩化ビニル（ＰＶＣ）からなる。メインベルト３７の上端は、容器本体１１の背面１４の上縁部に固定されている。具体的には、メインベルト３７の上端が上記クッションシート３５に縫い付けられ、当該クッションシート３５が容器本体１１の背面１４に熱融着されている。メインベルト３７は、弾性部材を内蔵しており、クッション性に富む。また、サブベルト３８は、ＴＰＵコーティングされたナイロンからなる。サブベルト３８の一端は、メインベルト３７の下端に連結されている。サブベルト３８の他端は、容器本体１１の側面２１に熱融着されている。具体的には、サブベルト３８の他端が所要の補強シート（たとえば上記クッションシート３５と同等の部材）に縫い付けられ、当該補強シートが容器本体１１の側面２１に熱融着されるのが好ましい。サブベルト３８は、長さ調整機構３９を備えており、釣人は、自己の体格に合わせて肩掛けベルト１６の全長を調整することができる。上記長さ調整機構３９は、既知の構造である。
【００３４】
肩掛けベルト１５は、肩掛けベルト１６と同様の構成であるから、その説明は省略される。また、本実施形態では、肩掛けベルト１５と肩掛けベルト１６との間に連結ベルト４０が設けられている。連結ベルト４０は、二分割されており、両者間にバックル４１が設けられている。バックル４１によって、連結ベルト４０が容易に連結あるいは分離されるようになっている。なお、肩掛けベルト１５、１６にアンカーリング４２が設けられている。
【００３５】
本実施形態に係る釣用容器１０は、次の要領で使用される。
【００３６】
この釣用容器１０の容器本体１１は前述のようなサイズであるから、たとえば磯釣りに使用される場合は、釣用リール、替えスプール、ウキ、釣糸、釣針その他小物道具のほか釣餌等がコンパクトに収容される。しかも、釣人は、肩掛けベルト１５、１６を両肩に掛けることにより、釣用容器１０を背中に背負うことができる。このとき、容器本体１１の背面１４が釣人の背中に当接するので、釣人は、種々の釣り道具や釣餌等を容易且つ安定的に持ち運ぶことができる。また、容器本体１１がＥＶＡからなり、釣用容器１０が防水性を備えるうえ、蓋１３が容器本体１１の開口１７を液密的に閉じるので、雨や波飛沫が釣用容器１０にかかったとしても、内容物が濡れてしまうことがない。
【００３７】
また、図４が示すように、容器本体１１の上面１２が傾斜しているので、釣人は、正面２２側から釣り道具等を出し入れしやすいという利点がある。
【００３８】
さらに、容器本体１１の背面１４にクッションシート３５が設けられているので、釣人が釣用容器１０を背負った状態でソフトな感触を得られ、楽に荷物を背負うことができるという利点もある。
【００３９】
加えて、図４が示すように、容器本体１１の開口１４の周縁部がシールシート４３により被覆され、且つ蓋１３の内側周縁部がシールシート４３と液密的に当接する粗度に仕上げられているので、蓋１３が閉じられたときに、容器本体１１の開口１４は液密的に閉塞される。したがって、容器本体１１への水の侵入が確実に防止される。
【符号の説明】
【００４０】
１０・・・釣用容器
１１・・・容器本体
１２・・・上面
１３・・・蓋
１４・・・背面
１５・・・肩掛けベルト
１６・・・肩掛けベルト
１７・・・開口
１８・・・収容室
１９・・・底面部
２０・・・側壁部
２２・・・正面
２４・・・上縁
３５・・・クッションシート
３６・・・クッション部
３７・・・メインベルト
３８・・・サブベルト
４３・・・樹脂シート
【図１】
2015065960.tif 000003
【図２】
2015065960.tif 000004
【図３】
2015065960.tif 000005
【図４】
2015065960.tif 000006